(57)【要約】【課題】多量の土砂、土石等を、効果的に堆積可能とする。【解決手段】  土石流堆積工１は、凹所構造体２、入口部８及び出口部９を有し、凹所構造体２は、河川の幅より拡幅されており、底部３と底部３の周囲を囲う周壁部４を有し、底部３の横幅方向の中央に流路工１２が設けられており、土石流堆積工１内には、出口側から入口側に順次、縮流工１７、スリット工２１及び分散工２５が配置され、スリット工２１及び分散工２５は、周壁部４の高さより低く形成されており、縮流工１７は、流路工１２の両側面に互いに対向して形成された一対の突起１８から成り、スリット工２１は、流路工１２の横幅方向の左右両側に設けられ、それぞれスリット２２を有する堰として形成され、分散工２５は、流路工１２を挟んで左右の両側に、複数対上方に突出して形成されている。【選択図】図１
2020193453.tif 000002
【特許請求の範囲】
【請求項１】
河川の途中に構築され、凹所構造体を有し、上流端に入口部を下流端に出口部を有する土石流堆積工であって、
凹所構造体は、河川の幅より拡幅されており、底部と、入口部及び出口部を除いて底部の周囲を囲う周壁部と、を有し、
底部の横幅方向の中央に、上流から下流に向かって溝として形成されている流路工が設けられており、
凹所構造体内には、出口側から入口側に順次、縮流工、スリット工及び分散工が配置され、スリット工及び分散工は、いずれも周壁部の高さより低く形成されており、
縮流工は、流路工の両側面に互いに対向して形成された一対の突起から成り、
スリット工は、流路工の横幅方向の左右両側に設けられ、それぞれスリットを有する堰として形成され、
分散工は、流路工を挟んで左右の両側に、複数対上方に突出するように形成されている構成であることを特徴とする土石流堆積工。
【請求項２】
左右に形成されたスリット工の間に、閉塞壁材が配置されていることを特徴とする請求項１に記載の土石流堆積工。
【請求項３】
複数対の分散工は、それぞれ平面視で上流側に向けてハの字状に配置されていることを特徴とする請求項１又は２に記載の土石流堆積工。
【請求項４】
入口部及び出口部は、それぞれ周壁部の上流端及び下流端において周壁部と連続して形成された入口壁及び出口壁が形成されていることを特徴とする請求項１〜３のいずれかに記載の土石流堆積工。
【請求項５】
底部、周壁部、入口壁及び出口壁は、それぞれコンクリートで形成されていることを特徴とする請求項１〜４のいずれかに記載の土石流堆積工。
【請求項６】
底部は、上流から下流に向けて水平又は下方に傾斜していることを特徴とする請求項１〜５のいずれかに記載の土石流堆積工。
【発明の詳細な説明】
【技術分野】
【０００１】
本発明は、土石流堆積工に関するものである。
【背景技術】
【０００２】
従来、土石流を減勢し、堆積させるための土石流および流木対策施設として、国土交通省は、土石流・流木対策技術指針において、土石流堆積地と土石流堆積流路を示している。  
【０００３】
図８（ａ）に土石流堆積地４０を示すが、流路の途中に拡幅部（流路を拡幅した土地の区域）４１を設けて成り、拡幅部４１の上流端と下流端に、それぞれ上流端砂防堰堤４２と下流端砂防堰堤４３が配置され、さらに必要に応じて、上下流方向の中間に床固工４４が配置されている。
【０００４】
土石流堆積地４０は、土石流・流木処理計画上必要となる堆積量を堆積させることのできる空間を、流路の拡幅及び掘りこんで渓床勾配を緩くすることにより確保するものである。
【０００５】
図８（ｂ）に土石流堆積流路４５を示すが、背後地盤において宅地が発達している等の土地利用状況や谷底平野等地形条件により、土石流堆積地４０のように流路の拡幅が困難な場合おいて、流路を掘りこんで渓床４６の勾配を元の渓床勾配４７より緩くすることにより、土砂４８を堆砂させて、土石流・流木処理計画上必要となる堆積量を堆積させることのできる空間を、確保するものである。
【０００６】
なお、土石流を堰き止める砂防ダム等の砂防施設が 配置された傾斜地において、土石流の流れが予測される土石流本体の流れを横断するように、かつ砂防ダムの上流位置に配置され、土石流発生の際、初期移動の土石流先端部の土石流を捕捉するための複数の堰を複数段に配置している構成は、知られている（特許文献１参照）。
【先行技術文献】
【特許文献】
【０００７】
【特許文献１】特開２００１−２０７４３１号公報
【発明の概要】
【発明が解決しようとする課題】
【０００８】
上記土石流堆積地４０は、上流の流路から土砂が堆積工に流入すると、土砂流の勢いに任せて堆積するため、流入口付近に、或いは出口に向けて堆積しても横幅方向に分散することが少なく、横幅方向の中心部に土砂が堆積する傾向があり、土石流堆積地４０に全体に土砂が行き渡るわけではなく、土砂を多量に溜め込もうと拡幅しても、その幅で堆積しない、という点が懸念される。
【０００９】
即ち、上記土石流堆積地４０は、流入口から流出口に向けて勾配なりに堆砂するが、流入口から拡幅部４１に向けて広がっているため、掃流力が落ちて、土砂が流入口付近、或いは中心部に堆積し、全体に溜まるわけではないので、施設規模を十分に活かした捕捉効果は得られない。
【００１０】
上記土石流堆積流路４５、或いは特許文献１に示すものは、流路幅は特に拡幅されていないので、堆積される土石等の量は限られており、土石の除去作業の頻度が多くなる。
【００１１】
また、特許文献１に示すものは、土石流発生の際、初期移動の土石流先端部の土石流を捕捉するためのであり、土砂を河川の横幅方向にガイドし拡散させて、多量に捕捉するものではない。
【００１２】
本発明は、上記従来の土石流堆積工等の問題を解決することを目的とするものであり、土石流の土砂等を効果的に捕捉し、より多量堆積可能である土石流堆積工を実現することを課題とする。
【課題を解決するための手段】
【００１３】
本発明は上記課題を解決するために、河川の途中に構築され、凹所構造体を有し、上流端に入口部を下流端に出口部を有する土石流堆積工であって、凹所構造体は、河川の幅より拡幅されており、底部と、入口部及び出口部を除いて底部の周囲を囲う周壁部と、を有し、底部の横幅方向の中央に、上流から下流に向かって溝として形成されている流路工が設けられており、凹所構造体内には、出口側から入口側に順次、縮流工、スリット工及び分散工が配置され、スリット工及び分散工は、いずれも周壁部の高さより低く形成されており、縮流工は、流路工の両側面に互いに対向して形成された一対の突起から成り、
スリット工は、流路工の横幅方向の左右両側に設けられ、それぞれスリットを有する堰として形成され、分散工は、流路工を挟んで左右の両側に、複数対上方に突出するように形成されている構成であることを特徴とする土石流堆積工を提供する。
【００１４】
左右に形成されたスリット工の間に、閉塞壁材が配置されている構成としてもよい。
【００１５】
複数対の分散工は、それぞれ平面視で上流側に向けてハの字状に配置されている構成としてもよい。
【００１６】
入口部及び出口部は、それぞれ周壁部の上流端及び下流端において周壁部と連続して形成された入口壁及び出口壁が形成されている構成としてもよい。
【００１７】
底部、周壁部、入口壁及び出口壁は、それぞれコンクリートで形成されている構成としてもよい。
【００１８】
底部は、上流から下流に向けて水平又は下方に傾斜している構成としてもよい。
【発明の効果】
【００１９】
本発明に係るに土石流堆積工よれば、河川に対して拡幅した凹所構造体を設け、その凹所構造体に、中央部に流路工を設けるとともに、出口側から入口側に順次、縮流工、スリット工及び分散工を配置する構成とすることで、平常時ないし中小出水時には、縮流工で縮流し、堰上がってもスリット工を通して縮流工で縮流し、一時的に流路工に堆積した土砂も、徐々に下流に流して土砂を堆積する機能を回復し、洪水時は、分散工によって、土砂が、中心部に集中して堆積することを抑制し、土石流堆積工１の広範囲に分散させて堆積させて、より多量の土砂を受容可能とする。
【図面の簡単な説明】
【００２０】
【図１】本発明に係る土石流堆積工の実施例を説明する図であり、（ａ）は平面図であり、（ｂ）は（ａ）におけるＡ−Ａ断面図である。
【図２】（ａ）は上記実施例の下流側から見た正面図であり、（ｂ）は堆積工の一例を示す斜視図である。
【図３】上記実施例の平常時の作用を説明する図であり、（ａ）は平面図であり、（ｂ）は（ａ）におけるＡ−Ａ断面図である。
【図４】上記実施例の中小出水時の作用を説明する平面図である。
【図５】上記実施例の中小出水時の作用を説明する図であり、（ａ）は図４におけるＡ−Ａ断面図であり、（ｂ）は流路工内に溜まった土砂が流され、回復に向かう状態を示す断面図である。
【図６】上記実施例の洪水時の作用を説明する図であり、土砂がスリット工の高さまで堆積した状態を示す平面図である。
【図７】上記実施例の洪水時の作用を説明する図であり、（ａ）は土砂が堆積する過程を説明する断面図であり、（ｂ）は土砂がスリット工の高さまで堆積した状態を示す図６のＡ−Ａ断面図である。
【図８】従来技術を説明する図であり、（ａ）は従来技術の一例である土石流堆積地の斜視図であり、（ｂ）は従来技術の他の例である土石流堆積流路の断面図である。
【発明を実施するための形態】
【００２１】
本発明に係る土石流堆積工を実施するための形態を実施例に基づき図面を参照して、以下説明する。
【００２２】
（実施例）
本発明に係る土石流堆積工の実施例を、図１〜７を参照して説明する。本明細書では、河川の上流から下流に向かう方向を上下流方向と言い、河川の上下流方向に直交する方向を横幅方向という。また、下流に向かって左右の方向を左右方向という。
【００２３】
まず、この実施例の構成を、図１、図２を参照して説明する。この実施例の土石流堆積工１は、河川の途中に河川の流れに沿って形成され、図１に示すように、河川の幅より広く拡幅され、所定の深さに掘削された凹所を有する凹所構造体２を有する。
【００２４】
凹所構造体２は、図１に示すように、本実施例では、上流から下流に向かって細長で、平面視で矩形であるが、凹所構造体２の平面視の形状は、矩形でなくても、河川より拡幅されていれば、楕円形、細長の六角形等、他の形状でもよい。
【００２５】
凹所構造体２は、底部３と底部３を囲む周壁部４を有する。底部３は、コンクリートで形成したコンクリート製の底部３とするが、石やネット等を敷き詰めたり、その他の材料で形成してもよく、又は土を掘削した状態の底部でもよい。
【００２６】
この底部３は、図１（ａ）等では上下流方向に水平で記載したが、そのように水平でも良いが、元河床勾配（土石流堆積工１の施工箇所の元々の河床の勾配）や河川の流れの勢い、水量等に応じて、上流から下流に向けて下方に傾斜するように、勾配を付けて形成する。例えば、元河床勾配が大きい場合、底部３の勾配を大きくする、或いは逆に勾配を小さくする等である。
【００２７】
周壁部４は、本実施例では、底部３に向けて下方に傾斜する傾斜壁としているが、垂直壁でもよい。周壁部４は、底部３と連続してコンクリートで形成したコンクリート製の周壁部４とするが、石を積み上げたり、ネットで囲ったりする等他の材料で形成したり、又は土を掘削した状態の周壁部としてもよい。
【００２８】
土石流堆積工１の上流端および下流端には、入口部８と出口部９が形成されている。入口部８と出口部９には、それぞれ周壁部４の上流端及び下流端に連続する左右の入口壁１０と出口壁１１が形成されている。
【００２９】
入口壁１０と出口壁１１についても、本実施例では傾斜壁としているが、垂直壁でもよい。また、本実施例では、入口壁１０と出口壁１１は、周壁部４と同様にコンクリートで製造したコンクリート製の入口壁１０と出口壁１１とするが、石を積み上げたり、ネットで囲ったりする等、他の材料で形成したり、又は土を掘削した状態の入口壁と出口壁としてもよい。
【００３０】
底部３の横幅方向の中央に、上流から下流に向かって溝として形成されている流路工１２が形成されている。流路工１２は、図２（ａ）に示すように、横幅方向の左右両側に側面壁１３が形成されており、この側面壁１３は、本実施例では傾斜壁としているが、垂直壁でもよい。
【００３１】
土石流堆積工１の入口部８と出口部９では、入口壁１０の下流端と出口壁１１の上流端が、それぞれ流路工１２の側面壁１３の上流端と下流端に連続している。
【００３２】
土石流堆積工１内において、下流端付近（出口部９付近）には、図１（ａ）、（ｂ）、図２（ａ）に示すように、縮流工１７が形成されている。縮流工１７は、流路工１２の左右両側の側面壁１３にそれぞれ対向して突出するように設けられた一対の突起１８から成り、一対の突起１８の間の間隔ｄは、流路工１２の横幅ｓより狭く形成されている。
【００３３】
土石流堆積工１内において、下流端付近（出口部９付近）で、かつ縮流工１７より上流側に、流路工１２を挟んで左右両側に対称的に、一対のスリット工２１が設けられている。スリット工２１は、スリット２２を有する堰として構成されている。スリット工２１は、本実施例ではコンクリートで形成されているが、コンクリートでなくても、鋼材（鋼板、鋼管等）、その他の材料で形成してもよい。
【００３４】
スリット工２１は、本実施例では横幅方向に対して垂直な断面は、図１（ｂ）に示すように台形状であり、その高さは、周壁部４の高さを超えない程度の高さとし、横幅方向の中央部に上下流方向に貫通したスリット２２を有する。
【００３５】
スリット２２の横幅は、後記する作用の記載で説明するが、平常時に、土石流の流水が縮流工１７によって縮流（流水の横幅を狭めて流す）され、仮に、上流が堰上がって水深が上昇しても、スリット２２を通して流れるようにして、水深が流路工１２内に収まるように、設計される。
【００３６】
なお、スリット２２は、必ずしも必須ではないが、スリット２２を設けることで、スリット２２を通して土石流の一部を流すことで、スリットのない場合に生じやすい越流を低減し、土石流堆積工１におけるオーバーフローを防止することが可能となる。
【００３７】
流路工１２を挟んで左右の両側のスリット工２１の間は、閉塞壁材２３で閉塞されている。閉塞壁材２３は、土石流堆積工１の高さ、即ち周壁部４の高さを超えない程度の高さとし、パネル（板材）等、完全に土石流を不透過にする部材であってもよいが、柵、格子材等、完全に不透過にしない部材であってもよい。
【００３８】
また、左右の両側のスリット工２１は、本実施例では、流路工１２を挟んで、左右両側にそれぞれ１基（左右一対）設けているが、土石流堆積工１の上下流方向の勾配、即ち底部３の勾配、水量等に応じて、左右両側にそれぞれ複数基（左右複数対）設けても良い。
【００３９】
例えば、底部３の勾配がない、或いは比較的平坦な場合は、本実施例のように１基でも良いが、元河床勾配が大きい場合等では、左右両側にそれぞれ２基、３基等と複数対設けても良い。
【００４０】
土石流堆積工１内において、図１（ａ）に示すように、入口部８からスリット工２１の間であって、流路工１２を挟んで左右の両側の底部３上に、複数対の分散工２５が、平面視で上流側に向けてハの字状に並べられて設けられている。
【００４１】
分散工２５は、土石流に対してガイドとなり、土砂を横幅方向の中央側から左右方向に向けて誘導するように移動させて、横幅方向にも拡がるようにして、土砂が、横幅方向における中心部に集中して堆積することを抑制し、土石流堆積工１の広範囲に分散させて堆積させて、より多量の土砂を受容可能とする機能を有する。
【００４２】
分散工２５は、本実施例では、コンクリート製とし、その構造は、図１（ａ）、図２（ｂ）に示すように、複数の台形盤が連続して上方に突出する構成とした。しかし、分散工２５の材料は、鋼材、盛土等でもよく、また、その構造は、柵、ブロック等でもよい。
【００４３】
さらに、分散工２５の形状は、平面視で矩形、円形、或いはそれらの、配置、組み合わせ等、多様であり、土石流堆積工１の全体形状、土石流の流量、流れの勢い等の状態等によって、適宜選択すればよい。分散工２５の高さは、土石流堆積工１の高さ、即ち周壁部４の高さを超えない程度の高さとするが、低すぎると、土砂の分散効果が低減する。
【００４４】
（作用）
以上、本発明に係る土石流堆積工１の実施例の構成を説明したが、このような土石流堆積工１の作用について、土石流の流下状態が、平常時、中小出水時、洪水時のそれぞれについて、以下説明する。
【００４５】
平常時：
平常時には、河川を流れる土石流の流水２８は、入口部８から土石流堆積工１に入り、図３（ａ）、（ｂ）に示すように、流路工１２内を流れる。そして、土石流の土砂は、土石流堆積工１の中央にある流路工１２から、流水２８によって下流へ運ばれる。
【００４６】
なお、平常時に、河川を流れる水量が若干増加し、縮流工１７によって流水２８を縮流することで、仮に、上流側が堰上がり流路工１２内で水深が上昇し、底部３に溢水しても、スリット工２１のスリット２２を透過することで、水深は流路工１２内に収まる。
【００４７】
換言すると、このように、土石流の水量が若干増加し、上流側が堰上がり流路工１２内の水深が上昇しても、流水は流路工１２内に収まり、縮流工１７を通過して流れるように、スリット工２１のスリット２２の横幅を設定する。
【００４８】
中小出水時：
ここで、「中小出水」とは、平常時より河川を流れる水量が多いが、洪水が起きるほどではない出水であって、より具体的には、５〜３０年確率規模の出水（毎年１／５〜１／３０の確率規模の出水）を言う。
【００４９】
このような中小出水時には、図４、図５（ａ）に示すように、縮流工１７によって流水２８を縮流することで、流路工１２内は堰上がり、流路工１２内は湛水する。そして、底部３に溢水すると、土石流の流水２８は、スリット工２１のスリット２２を透過して下流側に流れる。
【００５０】
中小出水時には、土石流の土砂２９は、図４、図５（ａ）に示すように、流路工１２の湛水３０内において、上流から下流方向に向かって、徐々に堆砂（堆積）していく。この堆砂の先頭部（堆砂の下流端部）を堆砂肩３３と言う。
【００５１】
堆砂肩３３がスリット工２１の位置まで到達しない状態（図５（ａ）参照）では、流路工１２内に溜まった土砂２９は、平常時、或いは洪水時の後半の流水によって、図４（ｂ）に示すように、徐々に浸食されて下流へ流される。そのために、流路工１２は、再び流路工１２の機能を回復する。
【００５２】
洪水時：
洪水時には、河川を流れる土石流は、入口部８から土石流堆積工１に入り、流路工１２を流れ、縮流工１７によって流水２８が縮流され、流路工１２から溢れると、図６、図７（ａ）に示すように、スリット工２１でも堰上げが発生し、土石流堆積工１の上流側内は、徐々に湛水していく。
【００５３】
堆積工内が湛水しても、土石流の土砂２９は低いところから堆砂するので、流路工１２内で堆砂肩３３を形成しながら下流に向けて進行する。そのような状態で、図６、図７（ａ）に示すように、凹所構造体２におけるスリット工２１より上流側は、広い湛水池になる。
【００５４】
ところで、堆砂肩３３の下流側への進行を自然に任せると、前記した図８（ａ）に示すような土石流分散堆積池の構成では、左右方向には拡散しにくく、土砂２９は、土石流堆積工内で横幅方向の中央部に集中して堆積する傾向がある。
【００５５】
しかしながら、本発明の土石流堆積工１は、図６に示すように、流路工１２を挟んで左右に複数対の分散工２５を、上流側に向けハの字状に配置して設けたため、この分散工２５により、入口部１０から堆砂肩３３は下流側に向かうとともに、土砂２９を下流方向に向けて左右に誘導、拡散し、土砂２９は、凹所構造体２の広い範囲に堆積される。
【００５６】
そして、堆砂肩３３が、スリット工２１の位置まで到達し、スリット工２１の高さまで土砂２９が堆積すると、図５（ｃ）に示すように、土石流の流水２８は、スリット工２１および閉塞壁材２３を越水して下流側の流路工１２に流入して、土石流堆積工１の出口部９から、河川の下流に流される。             
【００５７】
このようにして、本発明に係る土石流堆積工１によると、洪水時においても、土石流堆積工１の拡幅された凹所構造体２の広いスペースを、横幅方向にも有効に活用して、多量の土砂を堆積することができるので、洪水時における土石流の土砂、土石、流木等の移動を、効果的に抑制することが可能となる。
【００５８】
なお、土石流堆積工１に流入する土石流の流量に対して土砂が少なく、スリット工２１まで堆砂肩３３が到達しなければ、中小出水時と同様に土砂は、下流に徐々に浸食されて移動し、土石流堆積工１は普通時の状態に回復する。
【００５９】
以上、本発明に係る土石流堆積工を実施するための形態を実施例に基づいて説明したが、本発明はこのような実施例に限定されるものではなく、特許請求の範囲に記載された技術的事項の範囲内でいろいろな実施例があることは言うまでもない。
【産業上の利用可能性】
【００６０】
本発明に係る土石流堆積工は上記のような構成であるから、河川両側域に広さに余裕のある山間地等の河川に適用可能である。
【符号の説明】
【００６１】
１  土石流堆積工
２  凹所構造体
３  底部
４  周壁部
８  入口部
９  出口部
１０  入口壁
１１  出口壁
１２  流路工
１３  流路工の側面壁
１７  縮流工
１８  縮流工の突起
２１  スリット工
２２  スリット工のスリット
２３  閉塞壁材
２５  分散工
２８  流水
２９  土砂
３０  湛水
３３  堆砂肩
４０  土石流堆積地
４１  拡幅部
４２  上流端砂防堰堤
４３  下流端砂防堰堤
４４  床固工
４５  土石流堆積流路
４６  渓床
４７  元の渓床勾配
【図１】
2020193453.tif 000003
【図２】
2020193453.tif 000004
【図３】
2020193453.tif 000005
【図４】
2020193453.tif 000006
【図５】
2020193453.tif 000007
【図６】
2020193453.tif 000008
【図７】
2020193453.tif 000009
【図８】
2020193453.tif 000010